(57)【要約】【課題】少ない工程数で製造することができると共に、本体部材に柔軟部材を確実に固定し、長期間にわたって剥離するのを防止することができる釣り具を提供すること【解決手段】中空構造のリールシート本体１２の外周面の所要部位に凹部４２を形成し、リールシート本体１２を貫通してこのリールシート本体の内周側に開口するゲート孔４８を介して、凹部４２内に、リールシート本体１２よりも軟質の材料からなる柔軟部材３２を射出成形し、このゲート孔４８内に残留して固着される柔軟部材４９に、凹部４２内に成形された柔軟部材３２を連結した釣り具。【選択図】      図５
2008271815.tif 000002
【特許請求の範囲】
【請求項１】
中空構造の本体部材の外周面の所要部位に凹部を形成し、本体部材を貫通してこの本体部材の内周側に開口するゲート孔を介して、前記凹部内に、本体部材よりも軟質の材料からなる柔軟部材を射出成形し、このゲート孔内に残留して固着される柔軟部材に、前記凹部内に成形された柔軟部材を連結したことを特徴とする釣り具。
【請求項２】
前記ゲート孔は、円筒状の本体部材の外周面上で、柔軟部材が周方向の一部に沿ってのみ延在する部位に形成されることを特徴とする請求項１に記載の釣り具。
【請求項３】
前記本体部材は、魚釣用リールを取付けるリールシートの筒状の本体として形成され、前記ゲート孔は、前記柔軟部材を介してこの筒状の本体を握持したときに、この握持する手の指が当たる部位に配置されることを特徴とする請求項１又は２に記載の釣り具。
【請求項４】
前記ゲート孔は、前記リールシートの筒状の本体に一体に形成された固定フードの前部に配置されることを特徴とする請求項３に記載の釣り具。
【請求項５】
前記筒状の本体と柔軟部材との間に、塗装層が配置されることを特徴とする請求項４に記載の釣り具。
【発明の詳細な説明】
【技術分野】
【０００１】
本発明は、釣り具に関し、特に、釣り人が実釣時に握持する釣り具に関する。
【背景技術】
【０００２】
一般に、樹脂で形成された釣り具は、本体部材上に他の樹脂製部材を設け、種々の用途に適した機能を付与することが行われている。
【０００３】
例えばプリプレグを巻回して形成した竿素材の外面に、リールの脚受け部を一体形成した釣り竿が開発されている。この釣り竿は、竿素材の外面上に、軸方向に所定間隔をおいて一対の溝を形成し、これらの溝に環状体を固定し、この環状体の外径に一致した内径を有する２つ割りに構成した金型を、環状体の外面に密着させて嵌合し、この金型と竿素材との間に形成される内部空間に、熱可塑性樹脂を射出成形することにより、リールシートを竿素材に一体成形して製造される（例えば特許文献１参照）。
【０００４】
この製造方法によれば、本体部材である竿素材の外面に熱可塑性樹脂を射出成形する際、環状体と金型との間から樹脂が流れ出ることがなく、バリの取り除き等の手間が不要となる。
【特許文献１】特開平４−３０４８３３号公報
【発明の開示】
【発明が解決しようとする課題】
【０００５】
上述のように、本体部材である竿素材の外面に、熱可塑性樹脂を射出成形してリールシートを形成する場合は、この射出成形する樹脂がプリプレグで形成した竿素材とは異なる材料であるため、これらの２種の材料が互いに溶着しない場合がある。この場合には、リールシートと竿素材とが分離し易く、充分な接合強度を得るのが困難である。また、竿素材と金型との間に環状体を配置するための一対の溝を所定間隔で配置してあり、これらの溝が竿素材の強度を低下させる虞がある。更に、竿素材とリールシートとが直接接触する面積が狭くなる虞があり、このように接触面積が少なくなると、本体部材上に射出成形された部材との接合強度が低下し、剥離し易くなる。
【０００６】
本発明はこのような事情に基づいてなされたもので、極めて少ない工程数で製造することができると共に、本体部材に柔軟部材を確実に固定し、長期間にわたって剥離するのを防止することができる釣り具を提供することを目的とする。
【課題を解決するための手段】
【０００７】
上記目的を達成する本発明の釣り具は、中空構造の本体部材の外周面の所要部位に凹部を形成し、本体部材を貫通してこの本体部材の内周側に開口するゲート孔を介して、前記凹部内に、本体部材よりも軟質の材料からなる柔軟部材を射出成形し、このゲート孔内に残留して固着される柔軟部材に、前記凹部内に成形された柔軟部材を連結したことを特徴とする。
【０００８】
前記ゲート孔は、円筒状の本体部材の外周面上で、柔軟部材が周方向の一部に沿ってのみ延在する部位に形成されることが好ましい。
【０００９】
前記本体部材は、魚釣用リールを取付けるリールシートの筒状の本体として形成され、前記ゲート孔は、前記柔軟部材を介してこの筒状の本体を握持したときに、この握持する手の指が当たる部位に配置されることが好ましく、この場合には、前記ゲート孔は、筒状の本体に一体に形成された固定フードの前部に配置されるのが特に好ましい。
【００１０】
更に、前記筒状の本体と柔軟部材との間に、塗装層が配置されていてもよい。
【発明の効果】
【００１１】
本発明の釣り具によると、本体部材の外周面上に柔軟部材を射出成形するためのゲート孔が本体部材の内周側に開口するため、後処理工程を必要とする外周側のゲート跡が形成されることはなく、製造工程を低減することができると共に、ゲート孔に残留して固着される柔軟部材が本体部材に対する凹部内の柔軟部材の固着力を増大するように作用し、長期間にわたって剥離を防止することができる。
【００１２】
円筒状の本体部材の外周面上で、柔軟部材が周方向の一部に沿ってのみ延在する部位に、ゲート孔が形成される場合には、この部位に周方向に外力が作用した場合でも、その力をゲート孔内の柔軟部材を介して本体部材に伝達し、長期間にわたってその剥離を防止することができる。
【００１３】
また、本体部材が魚釣用リールを取付けるリールシートの筒状の本体として形成され、柔軟部材を介してこの筒状の本体を握持したときに、握持する手の指が当たる部位にゲート孔が配置される場合には、強い力で握持しても柔軟部材の剥離が確実に防止され、長期間にわたって良好な握持性を保持することができる。特に、固定フードの前部にゲート孔が配置された場合には、固定フード側に向けて作用する握持する力を効率よく支え、柔軟部材の剥離を効果的に防止することができる。
【００１４】
また、筒状の本体と柔軟部材との間に塗装層が配置されている場合であっても、柔軟部材を本体部材に確実に保持することができるため、予め塗装層を形成した後に柔軟部材を成形することができ、極めて少ない工程数で製造することができる。
【発明を実施するための最良の形態】
【００１５】
図１から図８は、本発明の好ましい実施形態による釣り具を示し、本実施形態の釣り具は、魚釣用リールを釣り竿に取付けるリールシート１０として形成してある。
【００１６】
図１から図８に示すように、本実施形態のリールシート１０は、取付脚部８を介して例えばスピニングリール等の魚釣用リールを取付けるための筒状構造のリールシート本体１２を本体部材として備え、このリールシート本体１２の例えば握持した際の後端側である軸方向の一端側に形成したねじ部１４に沿って移動フード１６が軸方向に移動自在に装着される。繊維強化樹脂製であるのが好ましい図示しない竿杆が、このリールシート本体１２内に挿通され、例えば接着剤を用いて強固に固着される。このリールシート本体１２内に配置する竿杆は、中空構造あるいは中実構造のいずれであってもよい。
【００１７】
本実施形態のリールシート本体１２は、強度を維持しつつ軽量構造とするために、例えばナイロンやＡＢＳ等の合成樹脂で筒状に形成されるのが好ましく、一方、このような合成樹脂だけでなく、金属（例えばＳＵＳ、アルミニウム、チタン、真鍮）等の適宜の材料から形成してもよい。
【００１８】
このリールシート本体１２は、図では下側に示す一側に、取付脚部８の支持脚８ａに対して前後方向に延びる足部８ｂを載置するリール脚載置面１８が形成されている。更に、このリールシート本体１２には、移動フード１６に向けて開口部２０を後方に開口させた固定フード２２が一体的に設けられており、移動フード１６と共に、取付脚部８の足部８ｂをリール脚載置面１８上に押圧し、取付脚部８を介してこのリールシート１０に魚釣用リールを取付け、固定することができる。実釣時には、図１に示すように、取付脚部８の支持脚８ａを握持する手の指の間に挟み、足部８ｂと共にリールシート１０を握り込んで操作することができ、したがって、これらのリール脚載置面１８および固定フード２２を形成した部位を含む領域がリールシート本体１２上で握り部を形成する。
【００１９】
固定フード２２は、頂壁部２２ａとこの頂壁部２２ａの両側から軸方向に沿って湾曲しつつ後方に延びる側壁部２２ｂとを有し、これらの頂壁部２２ａと両側壁部２２ｂとで区画された開口部２０内に、リール脚載置面１８の前端側が延び、この固定フード２２内で終端する。この固定フード２２を形成する頂壁部２２ａおよび側壁部２２ｂは、基端側縁部が凹線あるいは区画線２３に沿ってリールシート本体１２から盛上った状態に形成されており、その外周面は、握持する手に痛みを与えないように、滑らかに凸状に湾曲する。また、側壁部２２ｂの先端縁部すなわちリールシート本体１２から突出した側の縁部は、足部８ｂを開口部２０内に挿入するときに、この側壁部２２ｂが足部８ｂと干渉するのを防止するため、リール脚載置面１８から離隔する側に大きく湾曲し、後方に向けて次第にリール脚載置面１８側に延び、このリール脚載置面１８の側方で終端する。
【００２０】
側壁部２２ｂがこのようにリールシート本体１２から盛上ることにより、取付脚部８の足部８ｂと共に握りこんだときに、側壁部２２ｂが足部８ｂとの間の段差部を解消させると共に、この側壁部２２ｂを指を当てる引掛かり部として作用させることも可能である。必要な場合には、側壁部２２ｂを後方に延設することなく、頂壁部２２ａから周方向に延設することも可能である。
【００２１】
固定フード２２の頂壁部２２ａは、先端側に向けて次第に高さが低くなり、この開口部２０から受入れた足部８ｂの一端が内方に向けて、移動フード１６で押圧されたときに、この取付脚部８をリール脚載置面１８側に付勢する。本実施形態の固定フード２２は、リールシート本体１２と一体構造に形成してある。これに代え、金属又は硬質の合成樹脂でリールシート本体１２と別体構造に形成し、リールシート本体１２に強固に固定してもよい。金属で形成する場合には、リールの取付脚部が当接する部位に樹脂製部材を配置し、金属部材と金属部材との接触による損傷を防止することが好ましい。
【００２２】
また、移動フード１６は、リールシート本体１２のねじ部１４に螺合するナット部材２４と、このナット部材２４の先端部に後端部を回動自在に連結されたフード体２６とを有する。この移動フード１６が配置される部位で、リールシート本体１２の外面は、ねじ部１４を形成した部位をリールシート本体１２の軸方向に沿って延びる長手方向溝（図示しない）を有し、このフード体２６の内周側から突出する図示しない突起がこの長手方向溝に嵌合し、このフード体２６を軸方向に沿って案内することができる。そして、フード体２６に形成した開口部３０を固定フード２２の開口部２０と軸方向に対向させた状態で、ナット部材２４をリールシート本体１２のねじ部１４に沿って回動させることにより、フード体２６の開口部３０を固定フード２２の開口部２０に対向させた状態で軸方向に沿って前後動することができる。
【００２３】
このフード体２６は、脚部８ｂをリール脚載置面１８上に保持するのに充分な剛性を持つ硬質合成樹脂あるいは金属で形成し、開口部３０は固定フード２２の開口部２０と同様な構造に形成してある。この移動フード１６の開口部３０は、固定フード２２の開口部２０とは逆に後端側に向けて次第に高さが低くなる。これにより、リールの取付脚部８の足部を開口部３０内に受入れた状態で、固定フード２２側に移動されると、固定フード２２と協働して取付脚部８をリール脚載置面１８に向けて付勢する。なお、リールシート本体１２の向きは、上述と前後を逆にして固定することも可能である。また、開口部２０，３０内には、取付脚部８との接触による損傷を防止する例えば樹脂製の緩衝部材（図示しない）を配置してもよい。
【００２４】
このリールシート１０は、リール脚載置面１８および固定フード２２を配置した部位、すなわちリールシート本体１２の握り部の外周部に、リールシート本体１２よりも軟質の材料からなる柔軟部材３２を、直接射出成形することにより、このリールシート本体１２と一体構造に形成してある。本実施形態の柔軟部材３２は、移動フード１６が固定フード２２と共に足部８ｂを締付ける状態に締め込まれ、前進位置に配置されたときに、この移動フード１６の前端位置に対応する部位から、固定フード２２の前方位置にわたる領域に配置してある。
【００２５】
図３および図４に示すように、本実施形態の柔軟部材３２は、移動フード１６が螺合するねじ部１４側に配置される後部領域３２ａと、固定フード２２を囲む状態に配置される中部領域３２ｂと、固定フード２２の前部に配置される前部領域３２ｃとを有する。
【００２６】
この後部領域３２ａは、リールシート本体１２の全周を囲み、その後端側縁部は下側のリール脚載置面１８側よりも上側が後方に延び、握持する手の母指球部、および支持脚８ａを後方から挟み込む指の指先が当たる領域に柔軟な感触を確保している。また、リールシート本体１２の下側には、リール脚載置面１８を周方向に横切る帯状部３４を有しており、この帯状部３４は、リール脚載置面１８よりも径方向外方に僅かに突出しており、固定フード２２と移動フード１６とで付勢された取付脚部８の足部８ｂがリール脚載置面１８上に押圧されたときに、この足部８ｂを弾力的に付勢し、取付脚部８および魚釣用リールのガタつきを防止する。この帯状部３４は、足部８ｂの強固な締付け状態を維持しつつガタつきを防止するために、幅すなわち軸方向寸法が１０〜２０ｍｍ程度で、リール脚載置面１８からの突出高さが０．３〜１．０ｍｍ程度であることが好ましい。
【００２７】
また、中部領域３２ｂは、固定フード２２の一側の側壁部２２ｂから周方向に沿い、上部領域を通って他側の側壁部２２ｂまで延び、この固定フード２２、およびリール脚載置面１８の前部を露出した状態に延設されている。そして、前部領域３２ｃは、固定フード２２の前端側で、リール脚載置面１８側で固定フード２２から前方に向けて先細状に延びる舌片状に形成され、この前縁部３３は、固定フード２２の開口部２０と径方向にほぼ対応した部位まで、固定フード２２の側壁部２２ｂから離隔した状態を維持しつつ、滑らかに後方かつ上方に延びる。したがって、これらの中部領域３２ｂと前部領域３２ｃとは、リールシート本体１２の全周にわたって延在するのではなく、周方向の一部に沿ってのみ延在しており、したがってこれらの中部領域３２ｂと前部領域３２ｃとには、柔軟部材３２による周方向の締付け力は作用しない。
【００２８】
この前部領域３２ｃに対して径方向に対向した上部側の部位では、リールシート本体１２が露出する。これにより、図１に示すようにこの握り部を握持したときに、このリールシート本体１２に直接触れる親指、および固定フード２２に直接触れる人差し指を介して、竿杆および硬質材製のリールシート本体１２を通じて伝達される微細な魚信を感得することができる。また、移動フード１６に触れる小指およびその付け根の近部でも、竿杆およびリールシート本体１２から硬質材製のフード体２６を介して微細な魚信を感得することができる。
【００２９】
この柔軟部材３２は、固定フード２２の前端側に配置された前部領域３２ｃに、滑り止め用の溝状凹部３６を周方向に沿って形成し、中部領域３２ｂの上部に、多数の断面円形状の凹部３８を形成し、握持したときに握りやすくかつ滑り難い外面形状を備えている。また、後部領域３２ａと中部領域３２ｂにわたって、固定フード２２の両側に設けられた区画線２３から上方かつ後方に、滑らかな曲線状に延びる溝４０は、凹部３８と共に、柔軟部材３２の滑り止め作用をなし、更に、釣り人が握持する手を通じてこの溝４０の位置を感得することにより、握り位置を容易に確認することができる。
【００３０】
特に図５から図８に示すように、この柔軟部材３２は、リールシート本体１２の外周面上で、握り部を形成する部位に形成された凹部４２内に、後述する塗装層を介して直接射出成形してある。この凹部４２の底部は全体がほぼ均等な深さに形成されており、その周縁部に沿って、帯状に延びる段差面４４を形成してある。この段差面４４は、凹部４２を囲むリールシート本体１２の表面部４６と、凹部４２の底部との中間高さに形成され、後述するように、柔軟部材３２をリールシート本体１２上に射出成形する際、金型を載置することができる。
【００３１】
この段差面４４に金型が載置されることにより、柔軟部材３２の周縁部がこの段差面４４上に配置され、あるいは、段差面４４上に重なることなく、凹部４２の底部との間の内側周壁部４３（図６，７参照）で規定された状態に配置される。いずれの場合も、この柔軟部材３２の周縁部の外面側を丸めあるいは面取りし、握持する手や外部部材に引っ掛かるのを防止することが好ましい。
【００３２】
この段差面４４は、例えば１．０〜１．２ｍｍ程度の幅に形成し、この段差面４４上に配置される柔軟部材３２は、段差面４４の幅に対して５０％以下で３０％〜１０％程度の範囲内とすることが好ましい。段差面４４上に配置される柔軟部材３２をできる限り少なくすることにより、柔軟部材３２の薄肉部分を少なくし、この薄肉部分からの破損の可能性を少なくすることができる。また、柔軟部材３２の周縁部と表面部４６との間に形成される間隙ｔ（図７参照）は、１．５ｍｍ以下で、１．０ｍｍ〜０．７ｍｍ程度とすることが好ましい。隙間ｔをこのように小さくすることにより、段差面４４上に配置される柔軟部材３２の縁部に手や指が当たる等、外力が作用しても、この柔軟部材３２の薄肉部分からの破損を確実に防止し、リールシート１０に優れた耐久性を確保することができる。
【００３３】
なお、この段差面４４は、表面部４６との間に、約０．４ｍｍ程度の段差を形成し、この段差面４４上に配置される柔軟部材３２の周縁部の厚さが薄くなり過ぎることなく、この凹部４２を囲む表面部４６から、例えば０．２〜０．３ｍｍ程度、僅かに突出するように形成することが好ましい。また、段差面４４と表面部４６との間の外側周壁部４５（図７参照）は金型を着脱する際にこの金型と干渉しないように、傾斜面あるいは湾曲面で形成してもよい。一方、凹部４２の底部との間に形成される内側周壁部４３は、凹部４２の底部に重なる方向に傾斜させることも可能である。内側周壁部４３がこのように傾斜することにより、特に幅狭の部分では、これらの内側周壁部４３が蟻ホゾ状に柔軟部材３２と噛合い、周縁部の剥離を抑制することができる。
【００３４】
更に、この凹部４２の底部には、直接リールシート本体１２上に柔軟部材３２を射出成形する際に、溶融樹脂材料の注湯孔を形成するゲート孔４８がリールシート本体１２を半径方向に貫通して形成されている。このゲート孔４８は、リールシート本体１２の内周側および外周側に開口し、リールシート本体１２の内部空間Ｓを凹部４２に連通する。本実施形態では、このゲート孔４８は、前部領域３２ｃの前部部位すなわちリールシート本体１２から最も幅狭で剥離し易い部位に形成してある。このようなゲート孔４８は複数部位に設けることも可能であり、例えば図６に示すように、固定フード２２の側壁部２２ｂに近接した部位、あるいは、操作する際に指先から大きな力が作用する部位等、形状的に剥離し易い部位だけでなく、指先等から大きな外力を受ける部位等にも配置することが好ましい。
【００３５】
このように、大きな外力が作用する部位、あるいは、周方向の締付け力が作用しない部位等の剥離し易い部位にゲート孔４８を形成することにより、ゲート孔４８内で硬化した樹脂が前部領域３２ｃをリールシート本体１２に固定する作用をなすことに加え、ゲート孔４８の近部の柔軟部材３２が接合される接合面が、高温度に加熱された柔軟部材３２の樹脂材料に長時間にわたって接触することにより、リールシート本体１２の外周面外周設けられた塗装層と柔軟部材３２がより強固に結合することができる。
【００３６】
このような柔軟部材３２は、以下の工程を経てリールシート本体１２上に形成することができる。
【００３７】
先ず、図９に示すように、所要部位に凹部４２およびゲート孔４８（図５〜８参照）を形成したリールシート本体１２を準備する。このリールシート本体１２の凹部４２の底部には、図６および図８に示すように、成形した柔軟部材３２と噛合う突条４１を、適宜位置に形成しておく。このような突条４１は、柔軟部材３２の形状に応じて、図示のようなリールシート本体１２の軸方向に限らず、例えば傾斜方向あるいは螺旋方向に延設し、あるいは周方向に延設してもよく、更に、凹部４２の底壁が肉厚に形成されている場合には、このような突条に代えてあるいは突条４１と共に、溝あるいは凹部（図示しない）を形成することも可能である。いずれの場合も、リールシート本体１２と柔軟部材３２との接触面積が増大し、あるいは形状的に噛合い係合することにより、柔軟部材３２の剥離を防止することができる。
【００３８】
このように形成されたシールシート本体１２には、外表面の全体を清浄化した後、リールシート本体１２の表面部４６および凹部４２を含む外周面の全体にわたって、保護層あるいは装飾層となる塗装層５０を積層する。このコーティング工程では、吹き付け塗装、しごき塗装、静電塗装等、各種塗装方法により行うことも可能である。これに用いる塗料は、着色塗料、あるいは透明状塗料であってもよく、透明状塗料には着色透明塗料および無色透明塗料が含まれる。
【００３９】
このように塗装層５０を積層したリールシート本体１２は、この塗装層５０を乾燥させて半製品を形成する。
【００４０】
そして、図１０に示すように、この塗装層５０を形成した半製品であるリールシート本体１２の外周部に金型Ｍを配置し、リールシート本体１２の凹部４２と共に、上述の柔軟部材３２を成形するための空間Ｃを形成し、この空間Ｃ内に上述のゲート孔４８を介して溶融した樹脂を充填し、この溶融樹脂で塗装層５０の接合面を融点以上に加熱しつつこの溶融樹脂を加圧し、この接合面で分子結合を生じさせて一体化する。この後、これらの溶融樹脂と塗装層５０とを硬化することにより、リールシート本体１２よりも軟質材料からなる柔軟部材３２を、このリールシート本体１２上に、図１１に示すように直接成形し、このリールシート本体１２と一体に形成することができる。
【００４１】
この柔軟部材成形工程では、金型Ｍを設置する際の手順として、リールシート本体１２の凹部４２と表面部４６との間の段差面４４上に外型ｍを当接させ、この外型ｍと凹部４２との間に上述の空間Ｃを形成することが好ましい。これにより、リールシート本体１２の表面部４６の塗装層５０に傷つくのを防止し、完成したリールシート１０の外観を損なうことなく、製造することができる。塗装層５０の再形成等の後工程を必要としない。また、柔軟部材３２を成形する際に、外型ｍが接触して傷がついた場合でも、段差部４４が表面部４６よりも低位置であり、柔軟部材３２の周縁部と表面部４６との間に形成される間隙も小さいため、その傷が目立たず、きれいな塗装外観を維持することができる。
【００４２】
なお、外型ｍは、段差面４４でのみリールシート本体１２に載置あるいは係合することが好ましいが、大きな接触圧を作用させず、塗装層５０に傷がつかない範囲であれば、表面部４６等の他の部位に接触してもよい。特に、段差面４４以外の部位に接触させる必要がある場合には、リールシート本体１２の軸方向における両端部、あるいは後で部品を固定する部位に当接させることが好ましい。
【００４３】
図１２に示すように、リールシート１０の内部空間Ｓ内に配置された溶融樹脂通路Ｒは、ゲート孔４８内に残留して固着された柔軟部材４９を残して分離する。図１２には溶融樹脂通路Ｒから柔軟部材３２の前部領域３２ｃに形成した１箇所のゲート孔４８にのみ接続しているが、図６に示すような複数のゲート孔４８が設けられる場合には、これらのゲート孔４８にも接続されることは明らかである。
【００４４】
このように、塗装層５０を積層したリールシート本体１２の外周部に金型Ｍを配置して、特に、リールシート本体１２をその軸方向を上下に沿って配置し、下側に位置するゲート孔４８を通じて凹部４２内に直接柔軟部材３２を射出成形することにより、リールシート本体１２の強度を低下させることなく、所要部位に剥離し難い柔軟部材３２を配置したリールシート１０を容易かつ確実に製造することができる。表面部４６が既に塗装されているため、仕上げ用の塗装工程およびマスキング工程等の後処理工程を必要としない。
【００４５】
また、ゲート孔４８内に残留して固着した柔軟部材４９は、リールシート本体１２に対する凹部４２内の柔軟部材３２の固着力を増大するように作用し、長期間にわたって剥離を防止することができる。例えば柔軟部材３２の中部領域３２ｂおよび前部領域３２ｃのように、リールシート本体１２の全周にわたって連続するのではなく、その一部にのみ延在する場合には、周方向の締付け力が作用しないために、リールシート本体１２に対する結合力あるいは保持力の低下を、このようなゲート孔内の柔軟部材４９により補うことができる。これにより、この部位に周方向に外力が作用した場合でも、その力をゲート孔４８内の柔軟部材４９を介してリール本体１２に伝達し、長期間にわたってその剥離を防止することができる。
【００４６】
更に、柔軟部材３２周縁部が段差面４４で接合されることにより、この接合面が外部に露出せず、この周縁部から剥離するのを抑制することができる。更に、柔軟部材３２の周縁部が段差面４４上に重ねて形成されることにより、表面部４６からの突出高さが低くなり、接合面に大きな力が作用するのを防止することができる。
【００４７】
このように柔軟部材３２を、リールシート本体１２の保護層あるいは装飾層を兼ねる塗装層５０の上に形成することにより、リールシート本体１２を形成する材質に影響されることなく、全面にわたって柔軟部材３２の充分な接合強度を確保して確実に密着させて固定することができ、柔軟部材３２の剥離や端部からの裂け等の破損を防止でき、リールシート１０の優れた外観を形成することができる。
【００４８】
また、柔軟部材３２がリールシート本体１２の握り部を形成する部位の周部上で広範囲にわたって強固に密着固定されるため、このようなリールシート１０を備えた釣り竿による魚釣り操作を容易かつ確実に行うことができる
また、柔軟部材３２の中部領域３２ｂおよび前部領域３２ｃのように、握持する手の指が当たる部位にゲート孔４８が配置されることにより、強い力で握持しても柔軟部材３２の剥離が確実に防止され、長期間にわたって良好な握持性を保持することができる。特に、固定フード２２の前部に位置する前部領域３２ｃにゲート孔４８が配置された場合には、固定フード２２側に向けて作用する握持する力を効率よく支え、柔軟部材３２の剥離を効果的に防止することができる。
【００４９】
また、筒状のリールシート本体１２と柔軟部材３２との間に塗装層５０が配置されていることにより、柔軟部材３２をリールシート本体１２に確実に保持することができるため、予め塗装層５０を形成した後に柔軟部材３２を成形することができ、極めて少ない工程数で製造することができる。
【００５０】
このような操作性に優れたリールシート本体１２を形成するための材料として、充分な強度を確保することができるナイロン樹脂（ガラス繊維で補強した場合も含む）を用いる場合、他の樹脂に対して好適な密着性を得るためには高価な特殊グレードのものを使用する必要があるのに対し、塗装層５０に柔軟部材３２を一体成形することにより、この塗装層５０を介して柔軟部材３２を通常の（特殊グレードでない）ナイロン樹脂製のリールシート本体１２でも、強固な一体構造とすることができる。
【００５１】
このような塗装層５０としては、アクリルウレタンやポリウレタン等のナイロン樹脂との密着性の良好なウレタン系樹脂で形成し、柔軟部材３２はポリエステル系のエラストマーやウレタン系のエラストマーで形成することが好ましい。この場合には、リールシート本体１２の充分な強度を維持しつつ、柔軟部材３２を確実に密着させて固定し、強度および耐久性に優れたリールシート１０を形成することができる。
【００５２】
このような塗装層５０は、リールシート本体１２および柔軟部材３２との一体化が可能なものであれば、単一の材料で単層に形成することなく、複数層で形成してもよい。例えば内側にリールシート本体１２の外面を隠蔽すると共にナイロン樹脂との密着性の良好なポリウレタン樹脂層を単層あるいは複数層形成し、この外側にアクリルウレタン等の柔軟部材３２との密着性の良好なクリヤー層を形成してもよい。なお、リールシート本体１２は、ナイロン樹脂の他、ＡＢＳ樹脂で形成することも可能である。
【００５３】
なお、上述の実施形態では、柔軟部材３２は、凹部４２内に射出成形することにより形成したが、このような凹部４２を設けることなく、リールシート本体１２の外周部に塗装層５０を介して直接成形することも可能である。また、リールシート１０に限らず、ナイロン樹脂等の高強度かつ軽量材料で形成された本体部に、これと異なる材料で種々の機能を付与するものであれば、例えばグリップ、竿尻キャップ等にも用いることができる。
【図面の簡単な説明】
【００５４】
【図１】本発明の好ましい実施形態によるリールシートの使用状態の全体図。
【図２】図１に示すリールシートの側面図。
【図３】図２に示すリールシートから移動フードを外した状態の側面図。
【図４】図２に示すリールシートから移動フードを外した状態の平面図。
【図５】図３に示すリールシートの軸方向断面図。
【図６】図３のＶＩ−ＶＩ線に沿う断面図。
【図７】図５の一部の拡大断面図。
【図８】リールシートの横断面図を示し、（Ａ）は図５の８Ａ−８Ａ線に沿う断面図、（Ｂ）は図５の８Ｂ−８Ｂ線に沿う断面図。
【図９】図１に示すリールシートのリールシート本体の側面図。
【図１０】図１に示すリールシートの製造工程の一部を示す説明図。
【図１１】リールシート本体上に成形した柔軟部材を示す説明図。
【図１２】リールシート本体のゲート孔内に残留する柔軟部材を示す説明図。
【符号の説明】
【００５５】
１０…リールシート（釣り具）、１２…リールシート本体（本体部材）、３２…柔軟部材、４２…凹部、４４…段差面、４６…表面部、４８…ゲート孔、Ｍ…金型。
【図１】
2008271815.tif 000003
【図２】
2008271815.tif 000004
【図３】
2008271815.tif 000005
【図４】
2008271815.tif 000006
【図５】
2008271815.tif 000007
【図６】
2008271815.tif 000008
【図７】
2008271815.tif 000009
【図８】
2008271815.tif 000010
【図９】
2008271815.tif 000011
【図１０】
2008271815.tif 000012
【図１１】
2008271815.tif 000013
【図１２】
2008271815.tif 000014